(57)【要約】【課題】生体測定装置が意図せずに動作することを防止する誤作動防止手段を備える生体測定装置を提供する。【解決手段】生体測定装置の本体に設けられ、生体情報を測定するために被測定者が載る載置部と、生体測定装置を使用していない状態では、生体測定装置を不作動状態にする誤作動防止手段と、を備える。誤作動防止手段は、生体測定装置を作動させる電力の供給をオン・オフする立て掛けスイッチを有する。また、本体の側部に設けられている押しボタンを有し、押しボタンが押されると電力の供給がオフになる。本体を立てた状態で保持可能なスタンドを備え、本体が前記スタンドに保持されると、スタンドにより押しボタンが押され電力の供給がオフになる。【選択図】  図１
2008295497.tif 000002
【特許請求の範囲】
【請求項１】
被測定者の生体情報を測定するための生体測定装置であって、
前記生体測定装置の本体に設けられ、生体情報を測定するために前記被測定者が載る載置部と、
前記生体測定装置を使用していない状態では、前記生体測定装置を不作動状態にする誤作動防止手段と、を備えること
を特徴とする生体測定装置。
【請求項２】
前記誤作動防止手段は、前記生体測定装置を作動させる電力の供給をオン・オフする立て掛けスイッチを有し、前記立て掛けスイッチにより、電力の供給がオンにされると前記生体測定装置が作動状態になり、電力の供給がオフにされると不作動状態になることを特徴とする請求項１に記載の生体測定装置。
【請求項３】
前記立て掛けスイッチは、前記本体の側部に設けられている押しボタンを有し、前記押しボタンが押されると前記電力の供給がオフになることを特徴とする請求項２に記載の生体測定装置。
【請求項４】
前記本体を立てた状態で保持可能なスタンドを備え、前記本体が前記スタンドに保持されると、前記スタンドにより前記押しボタンが押され前記電力の供給がオフになる構成としたことを特徴とする請求項３に記載の生体測定装置。
【請求項５】
前記押しボタンは、前記本体の側部に設けられた凹部内に配置され、前記スタンドは前記本体の凹部に対して相補的な形状の凸部を有し、前記前記凸部により前記凹部内の前記押しボタンが押された状態で、前記本体が前記スタンドに保持されることを特徴とする請求項４に記載の生体測定装置。
【請求項６】
前記誤作動防止手段は、前記載置部の傾斜の有無を検知するための姿勢検知部と、前記姿勢検知部からの信号に基づき前記載置部が傾斜しているか否かを判断する制御部と、を有し、前記制御部により前記載置部が傾斜していると判断されると、前記制御部は前記生体測定装置を不作動状態にすることを特徴とする請求項１乃至請求項５のうち、いずれか１に記載の生体測定装置。
【請求項７】
前記姿勢検知部は、傾斜センサであることを特徴とする請求項６に記載の生体測定装置。
【請求項８】
前記誤作動防止手段は、前記生体測定装置をオン・オフするためのフットスイッチと、前記フットスイッチからの信号を受ける制御部と、を有し、前記フットスイッチが長押しされると、前記制御部は前記生体測定装置を不作動状態にすることを特徴とする請求項１乃至請求項７のうち、いずれか１に記載の生体測定装置。
【請求項９】
前記誤作動防止手段は、前記生体測定装置をオン・オフするための複数のフットスイッチと、前記フットスイッチからの信号を受ける制御部と、を有し、少なくとも２つの前記フットスイッチが押されると、前記制御部は前記生体測定装置を不作動状態にすることを特徴とする請求項１乃至請求項８のうち、いずれか１に記載の生体測定装置。
【発明の詳細な説明】
【技術分野】
【０００１】
本発明は、生体情報を測定する生体測定装置に関し、特に、誤作動を防止できる生体測定装置に関する。
【背景技術】
【０００２】
従来より、被測定者の体重、体脂肪率、体脂肪量等の生体情報を測定するための種々の生体測定装置が利用されており、例えば、家庭等では生体測定装置の一つとして体脂肪計付き体重計が広く使用されている。このような体脂肪計付き体重計は、一般的には、被測定者が載る載置部を上面に有する本体と、被測定者の体脂肪率等を測定するための電極部材が載置部その他の所定箇所に設けられている。体脂肪計付き体重計を使い生体情報を得る際、本体は部屋の水平な床に置かれ、被測定者が載置部に載ることによって、体重が測定されるとともに、被測定者の足裏又は手の平等から微弱な定電流を流して、電気抵抗（生体インピーダンス）が測定され、体内組織の組成を示す体脂肪率、体脂肪量等の生体情報が測定される（特許文献１）。
【０００３】
このような体脂肪計付き体重計は、最近の電子部品の微小化等により、本体の厚さが薄くなっている一方、被測定者が載る載置部の面積を小さくすることについては実用上限度がある。したがって、被測定者は、体脂肪計付き体重計を使用しないときには、本体の一方側部を床に向け、本体の上面（載置部）又は下面を壁に向けて立て掛けたり、又は、本体の側部を壁に接触させた状態で部屋の隅に置く傾向がある。
【０００４】
【特許文献１】特開平１０−１７９５３６号公報
【発明の開示】
【発明が解決しようとする課題】
【０００５】
しかし、上記のように本体の一方側部を下にして壁に立て掛けた状態や、壁に側部を接触させた状態といった、生体測定装置を使用していない場合に、本体に設けられている操作部やフットスイッチ等が壁との接触によって押され、脂肪計付き体重計が意図せずに作動する恐れがある。結果として、電池が内蔵されている脂肪計付き体重計の場合にはその電池が消耗したり、個人の生体情報や動作条件の設定等を記憶できる脂肪計付き体重計の場合には、記憶した情報が誤って書き換えられたり消去される恐れがあった。
【０００６】
そこで、本発明は上記課題に鑑み、生体測定装置を使用していない状態で、生体測定装置が意図せずに動作することを防止する誤作動防止手段を備える生体測定装置を提供することを目的とする。
【課題を解決するための手段】
【０００７】
上記課題を解決するための本発明の生体測定装置は、被測定者の生体情報を測定するための生体測定装置であって、前記生体測定装置の本体に設けられ、生体情報を測定するために前記被測定者が載る載置部と、前記生体測定装置を使用していない状態では、前記生体測定装置を不作動状態にする誤作動防止手段と、を備えることを特徴とする。
【０００８】
また、本発明の生体測定装置の前記誤作動防止手段は、前記生体測定装置を作動させる電力の供給をオン・オフする立て掛けスイッチを有し、前記立て掛けスイッチにより、電力の供給がオンにされると前記生体測定装置が作動状態になり、電力の供給がオフにされると不作動状態になることを特徴とする。
【０００９】
また、本発明の生体測定装置の前記立て掛けスイッチは、前記本体の側部に設けられている押しボタンを有し、前記押しボタンが押されると前記電力の供給がオフになることを特徴とする。
【００１０】
また、本発明の生体測定装置は、前記本体を立てた状態で保持可能なスタンドを備え、前記本体が前記スタンドに保持されると、前記スタンドにより前記押しボタンが押され前記電力の供給がオフになる構成としたことを特徴とする。
【００１１】
また、本発明の生体測定装置の前記押しボタンは、前記本体の側部に設けられた凹部内に配置され、前記スタンドは前記本体の凹部に対して相補的な形状の凸部を有し、前記前記凸部により前記凹部内の前記押しボタンが押された状態で、前記本体が前記スタンドに保持されることを特徴とする。
【００１２】
また、本発明の生体測定装置の前記誤作動防止手段は、前記載置部の傾斜の有無を検知するための姿勢検知部と、前記姿勢検知部からの信号に基づき前記載置部が傾斜しているか否かを判断する制御部と、を有し、前記制御部により前記載置部が傾斜していると判断されると、前記制御部は前記生体測定装置を不作動状態にすることを特徴とする。
【００１３】
また、本発明の生体測定装置の前記姿勢検知部は、傾斜センサであることを特徴とする。
【００１４】
また、本発明の生体測定装置の前記誤作動防止手段は、前記生体測定装置をオン・オフするためのフットスイッチと、前記フットスイッチからの信号を受ける制御部と、を有し、前記フットスイッチが長押しされると、前記制御部は前記生体測定装置を不作動状態にすることを特徴とする。
【００１５】
また、本発明の生体測定装置の前記誤作動防止手段は、前記生体測定装置をオン・オフするための複数のフットスイッチと、前記フットスイッチからの信号を受ける制御部と、を有し、少なくとも２つの前記フットスイッチが押されると、前記制御部は前記生体測定装置を不作動状態にすることを特徴とする。
【００１６】
本明細書において、生体測定装置を使用していない状態とは、生体測定装置が保管されている状態、本体の載置部が水平面に対して傾いた状態、生体測定装置が直立した状態、生体測定装置が裏返された状態を意味するのみならず、載置部が水平に配置されているが生体測定装置が障害物に接した状態などをも意味する。
【発明の効果】
【００１７】
本発明によれば、生体測定装置を使用していない場合には、誤作動防止手段が生体測定装置を不作動状態にするので、意図せずに生体測定装置が作動する、という誤作動がない。結果として、被測定者は、誤作動を心配することなく生体測定装置を所望の姿勢で所望の場所に保管することができる。
【発明を実施するための最良の形態】
【００１８】
本発明の第１実施形態による体脂肪計付き体重計について、図１乃至図３を参照して説明する。図１は、第１実施形態に係る体脂肪計付き体重計１の斜視図、図２は、体脂肪計付き体重計１がスタンド６１に保持された状態を示す図であり、（ａ）は側面図、（ｂ）は、図１のＩＩ−ＩＩ線に対応した位置で、図２（ａ）のＩＩｂ部を紙面に平行な面で切断した拡大断面図、図３は、図１の体脂肪計付き体重計１のブロック図である。
【００１９】
図１乃至図３に示すように、第１実施形態の体脂肪計付き体重計１（以下、体重計１という。）は、略箱形に形成された本体３と、本体３の裏面３ｂに設けられ本体３を支持する脚部５３とを備える。本体３には、載置部３ａと、生体情報を取得するための電極部材３０（通電電極３１ａ、３２ａ、測定電極３１ｂ、３２ｂ）を有する測定部４７と、表示部２１と、操作部２２と、フットスイッチ２３と、記憶部２５と、制御部２９と、本体３の側部５に設けられて体重計１を作動させる電力の供給をオン・オフする立て掛けスイッチ３９と、電力を供給する電源５１と、が設けられている。本実施形態の体重計１は、電力を供給する経路を誤作動防止手段としての立て掛けスイッチ３９で機械的に切断することができる構成となっている。以下に、各部材の詳細な構成について説明する。
【００２０】
本体３は、樹脂（例えば、ＡＢＳ樹脂（アクリロニトリル／ブタジエン／スチレン共重合体））を成形してなる矩形板状部材（カバー部材及び底板部材）を組み合せて略箱状に構成されており、本体３の上面には、被測定者が載る載置部３ａが形成されている。なお、体重計１の製品としての強度を考慮して、本体３は、載置部３ａ側の矩形板状部材（カバー部材）を前記樹脂製とし、これと反対側の矩形板状部材（底板部材）を金属製とすることによって、これらを組み合せて構成してもよい。
【００２１】
また、図１に示すように、本体３の載置部３ａには、薄板状の４つの電極部材３０（通電電極３１ａ、３２ａ、測定電極３１ｂ、３２ｂ）が保持されており、これらは載置部３ａの面上で互いに離間して配置されている。電極部材３０を保持する構造は適宜採択可能であるが、例えば、電極部材３０を嵌め込み可能な凹部（図に示さず）を本体３の載置部３ａに形成し、電極部材３０と載置部３ａとが面一となるように嵌め込んで保持するのが好適である（図１参照）。電極部材３０は、後述のように測定部４７の構成となるものである。
【００２２】
さらに、図１に示すように、本体３の載置部３ａには、電極部材３０のほかに、表示部２１、及び操作部２２が備えられている。また、本体３の側面には、複数のスイッチからなるフットスイッチ２３が配置されている。表示部２１は、主として生体情報が表示されるものであって、例えば、フルドットＬＣＤ（Ｌｉｑｕｉｄ  Ｃｒｙｓｔａｌ  Ｄｉｓｐｌａｙ）などの液晶を用いたものを採用する。操作部２２としては、例えば、ボタン式、タッチセンサ式、ダイヤル式などを用いることができる。
【００２３】
立て掛けスイッチは、本体３の側部５に設けられた凹部４１内に配置され、押し下げ可能な押しボタン３９を有している。押しボタン３９及び凹部４１によって第１実施形態の誤作動防止手段が構成される。押しボタン３９は、ばね等の付勢手段により伸縮自在であり、伸びた状態でも凹部４１の外へは突出しないように寸法付けられている。なお、押しボタン３９が押し下げられない限り、立て掛けスイッチはオン状態となり、体重計１を作動させる電力の供給がなされ、体重計１は作動状態となっている。押しボタン３９が押し下げられると、電力の供給する経路が切断され体重計１が不作動状態となるようになっている。なお、本体３を、載置部３ａ側の矩形板状部材（カバー部材）と、これと反対側の矩形板状部材（底板部材）とで構成する場合において、凹部４１をいずれの矩形板状部材に設けるかは特に限定されるものではなく、本体３の側部５のいずれかに構成されていればよい。
【００２４】
図３に示すように、表示部２１、操作部２２、フットスイッチ２３、及び測定部４７は、制御部（制御回路）２９に接続されており、各動作を司っている。さらに、制御部２９には、電源５１、及び記憶部（例えば、ＲＡＭ（Ｒａｎｄｏｍ  Ａｃｃｅｓｓ  Ｍｅｍｏｒｙ））２５が接続されている。電源５１としては、体重計１を作動させる電力を供給する電池又は外部電源を利用できるようになっている。
【００２５】
本実施形態による体重計１の測定部４７は、公知の被測定者の体重を測定するための体重測定部と、被測定者の体脂肪率を測定するための生体インピーダンス測定部とを利用すればよい。
【００２６】
体重測定部は、例えば、荷重を掛けると荷重に応じて変形する金属部材からなる起歪体と、起歪体に装着される歪みゲージと、からなるロードセルを用いればよく、起歪体の固定端部を本体３に固定し、起歪体の可動端部を脚部５３に固定する構成とすることにより、被測定者が本体３の載置部３ａに載ったときに、被測定者の体重は、荷重により起歪体が撓むと歪みゲージが伸縮し、歪みゲージの抵抗値が変化するということを利用して測定されるようになっている。
【００２７】
生体インピーダンス測定部は、電極部材３０と、高周波の微弱な定電流を付与するための定電流供給部（図に示さず）と、生体の電位差を測定するための電圧測定部（図に示さず）と、を有する。電極部材３０は、被測定者の足に接触可能な通電電極３１ａ、３２ａ及び測定電極３１ｂ、３２ｂから構成される。
【００２８】
操作部２２は、身長、性別、年齢等の個人の生体情報や、個人に合わせた設定事項を入力するための入力手段である。入力された個人の生体情報や設定事項は、記憶部２５（例えば、ＲＡＭ（Ｒａｎｄｏｍ  Ａｃｃｅｓｓ  Ｍｅｍｏｒｙ））に記憶させたり、表示部２１に表示される。また、フットスイッチ２３は、制御部２９に接続され、制御部２９に信号を送ることにより生体測定装置をオン・オフしたり、個人の生体情報や設定事項を予め記憶部２５に保存しておいた場合には、その個人の生体情報や設定事項を呼び出すことができるようになっている。例えば、体重計１を複数の被測定者が使用する場合には、複数のフットスイッチ２３の各々を、各被測定者に割り当て、被測定者は、割り当てられたフットスイッチ２３を押すことにより、自己の生体情報や設定事項を呼び出すことができるように構成する。
【００２９】
ここで、設定事項とは、被測定者（使用者）が体重計１を使用する上での設定事項である。例えば、表示部２１に表示される生体情報の文字や記号の大きさ、生体情報の種類等である。
【００３０】
測定部４７は、被測定者の体重に関する信号を制御部２９に送り、その信号に基づき体重が制御部２９により演算される。得られた体重は、表示部２１に表示したり、記憶部２５に保存されるようになっている。
【００３１】
本実施形態では、通電電極３１ａと測定電極３１ｂの対は、左足の裏に接するように、そして、通電電極３２ａと測定電極３２ｂの対は、右足の裏に接するように配置されている。定電流供給部から左足及び右足のそれぞれ通電電極３１ａ、３２ａを介して微弱な定電流を付与し、生体インピーダンスの測定が行われる。測定電極３１ｂ、３２ｂに接続された電圧測定部により取得された生体インピーダンスを示す信号に基づき、制御部２９は体脂肪率若しくは体脂肪量を演算する。演算して得られた体脂肪率は、表示部２１に表示したり、記憶部２５に保存される。
【００３２】
次に、図２を参照して、体重計１を立て掛けて保持するスタンド６１について説明する。スタンド６１は、側面視が略Ｌ字形状であり、水平方向に延びる板状の基台６３と、基台６３の一端部から鉛直方向に延びる板状の支持部６５と、を備える。図２（ｂ）に示すように、基台６３の上面６３ａ、すなわち本体３の側部５に接する面には、凸部５７が設けられている。なお、本体３の凹部４１と凸部５７とは互いに嵌合可能な相補的な形状となっている。よって、載置部３の側部５を基台６３上の凸部５７に係合するように載置すると、押しボタン３９が押し下げられ、電力の供給がオフになるようになっている。
【００３３】
また、このように基台６３の凹部４１が凸部５７に係合するように置くと、本体３の載置部３ａが、支持部６５に支持されるように寸法付けされている。従って、凹部４１に凸部５７を嵌合させる構成とすることで、体重計１がスタンド６１に確実に保持される、という位置決め機能をも付与することができる。また、凹部４１内に押しボタン３９を設けることにより、生体情報の測定中など、意図せずに押しボタン３９が押されることを防止できる。
【００３４】
図３に示すように、体重計１を作動させるための電力を供給する電源５１と、その他の構成要素である、表示部２１、制御部２９、操作部２２、記憶部２５、及び測定部４７と、は押しボタン３９を介して電気的に接続されている。従って、押しボタン３９が押し下げられると、電源５１からの電力供給がオフにされ、体重計１は作動しないようになっている。
【００３５】
他方、押しボタン３９が押し下げられていないオンの状態では、電源５１からの電力が、その他の構成要素に供給される状態である。よって、被測定者がフットスイッチ２３を押すと体重計１が作動し、体重測定等の測定を行うことが可能となる。
【００３６】
このように、体重計１とスタンド６１とを組み合わせる構成を採用することにより、スタンド６１に立て掛けた場合には、誤って電源が入る、という誤作動を防止できる。また、電源との接続を機械的に切断するので、体重計１の待機電力の消費を防止できる。
【００３７】
また、第１実施形態では、体重計１の本体３の一側部に誤作動防止手段としての押しボタン３９を設ける構成としたが、本発明は、この構成に限定されない。例えば、各側部もしくは載置部上面３ａに押しボタンを設け、いずれかの押しボタンが押された場合には、電力の供給をオフにする構成としもよい。さらに、体重計１の裏面３ｂに押しボタンを設け、本体３が測定可能な状態で設置されている場合には、押されている状態とすることにより電力の供給をオンにして、立て掛けられた場合などのように押されていない場合には電力の供給をオフにする構成としてもよい。
【００３８】
次に、本発明による生体測定装置を体脂肪計付き体重計に適用した第２実施形態について、図面を参照しつつ説明する。図４は、第２実施形態に係る体脂肪計付き体重計１０１の斜視図、図５は、第２実施形態による姿勢検知部１４１の構成例を示す一部断面図、図６は、図４の体脂肪計付き体重計のブロック図、図７は、図４の体脂肪計付き体重計の制御系のフローチャートである。なお、実施形態２に係る体重計１０１の構成及び機能については、第１実施形態による体重計１と異なる点を主として説明するものとし、第１実施形態と同様の構成部分については、詳細な説明を省略する。
【００３９】
図４及び図６に示すように、体脂肪計付き体重計１０１（以下、体重計１０１という。）は、第１実施形態と同様に略箱状の本体１０３と、本体１０３の裏面１０３ｂに設けられ本体１０３を支持する脚部（図に示さず）とを備える。また、本体１０３は、本体１０３の姿勢に基づいて、生体測定装置を作動状態又は不作動状態にする誤作動防止手段１３９を備え、第1実施形態で設けた本体側部の凹部や誤作動を防止するための立て掛けスイッチは備えない。本実施形態における誤作動防止手段１３９は、本体１０３に内蔵されている制御部１２９と、姿勢検知部１４１（傾斜センサ）によって構成される。なお、第１実施形態１と同様に、本体１０３は、載置部３ａと、生体情報を取得するための電極部材１３０（通電電極１３１ａ、１３２ａ、測定電極１３１ｂ、１３２ｂ）を有する測定部１４７と、表示部１２１と、操作部１２２と、フットスイッチ１２３と、記憶部１２５と、制御部１２９と、記憶部２５と、制御部２９と、体重計を作動させる電力を供給する電源（図に示さず）と、を備える。
【００４０】
姿勢検知部１４１は、公知の傾斜センサを用いることができ、例えば、図５に示すように、載置部１０３ａの下面（裏面）に固定された固定部材１４１ａと、一端が固定部材１４１ａに片持ち固定され、他端に重り１４１ｂが取り付けられた起歪体１４１ｃと、起歪体１４１ｃに取り付けられた歪み検出素子１４１ｄと、を備え、固定部材１４１ａが載置部１０３ａとともに傾斜する際の起歪体１４１ｃの歪み量を歪み検出素子１４１ｄにより測定する構成とすればよい。歪み検出素子１４１ｄで測定された撓み量に基づき、制御部１２９において本体１０３の傾斜の有無が判断されるようになっている。
【００４１】
次に、体重計１０１の制御系について説明する。図６に示すように、制御部１２９は、姿勢検知部１４１、表示部１２１、操作部１２２、フットスイッチ１２３、記憶部１２５、測定部１４７に電気的に接続されている。
【００４２】
フットスイッチ１２３が押されると、フットスイッチ１２３から制御部１２９に体重計１をオン・オフする信号が送られる。また、姿勢検知部１４１からの姿勢情報に関する信号を受けた制御部１２９は、本体１０３が傾斜しているか否かを判断し、体重計１０１を作動状態若しくは不作動状態にするようになっている。
【００４３】
なお、図６では、本体１０３の内部に配置されている制御部１２９、記憶部１２５、姿勢検知部１４１、測定部１４７が示されているが、図４では割愛した。
【００４４】
以下に、体重計１０１の制御処理について図７を参照して説明する。まず、フットスイッチ１２３が押されると、制御部１２９が体重計１０１をオンするための信号を受ける（ステップＳ１）。次に、制御部１２９は、姿勢検知部１４１から本体１０３の姿勢に関する信号を取得する（ステップＳ２）。この姿勢に関する信号に基づき、本体１０３が体重測定といった生体情報の測定を行うのに適正な姿勢、すなわち水平面に対して傾斜しているか否かを制御部１２９が判断する（ステップＳ３）。
【００４５】
具体的には、本体１０３の水平面に対する角度が所定の範囲内であれば、本体１０３が適正な姿勢であると判断され、所定範囲を超える場合には、本体１０３が測定に不適な姿勢であると判断されるようになっている。本体１０３が適正な姿勢であると判断された場合には、制御部１２９はフットスイッチ１２３からの信号を有効とし、体重計１０１を作動状態にする（ステップＳ４）。体重計１０１が作動状態になると、操作部１２２、体重や生体インピーダンスを測定するための測定部１４７、表示部１２１等の機能が作動可能となる。
【００４６】
反対に、本体１０３が生体情報測定を行うのに不適な姿勢であると制御部１２９により判断された場合（ステップＳ３）には、制御部１２９はフットスイッチ１２３からの信号を無効とし、体重計１０１を不作動状態にする（ステップＳ５）。よって、操作部１２２、体重や生体インピーダンスを測定するための測定部１４７、表示部１２１等の機能は作動しない。
【００４７】
なお、本実施形態は、姿勢検知部１４１として傾斜センサを使用することにより、本体１０３が傾斜しているか否かの判断を行うものであるが、本発明はこの構成に限定されない。例えば、姿勢検知部１４１として、フットスイッチ１２３を利用してもよい。この場合には、傾斜センサを設けることなく（もちろん併用することも可能である）、フットスイッチ１２３が押し下げられた状態が、所定時間（例えば、３０秒）を超えた場合には、本体１０３が生体情報の測定に適した姿勢でないと制御部１２９により判断され、体重計１０１を不作動状態にする。また、本体１０３が水平な状態であっても壁などの障害物にフットスイッチ１２３が所定時間を超えて押圧されている場合には、被測定者が体重計１０１を意図して押した訳ではなく、本体１０３が測定に適した姿勢ではないと判断され、制御部１２９により体重計１０１を不作動の状態とするようにすればよい。
【００４８】
さらに、本実施形態のようにフットスイッチ１２３を複数備える場合には、少なくとも２つのフットスイッチ１２３が同時に押され、その信号を受けた制御部１２９は、本体１０３が測定に適した姿勢ではないと判断し、体重計１０１を不作動状態にする構成としてもよい。
【００４９】
このように、第２実施形態の構成によれば、本体１０３が生体情報を測定するのに適正な姿勢でないと判断された場合には、体重計１０１を作動させないように制御される。よって、体重計１０１が誤作動し、例えば意図せずに電力を消費することがなく、使い勝手の良い体重計が実現できる。
【００５０】
なお、上記第２実施形態では、フットスイッチ１２３から体重計をオンにする信号を制御部で受けた後に、本体１０３の姿勢の適否を判断する構成としたが、本発明はこの構成に限定されない。オン信号を受けたか否かに拘わらず、常時もしくは所定時間毎に本体の姿勢の適否を判断し、生体測定装置を作動状態もしくは不作動状態にする構成としてもよい。また、フットスイッチ等により体重計を起動させるのではなく、所定期間毎に生体測定装置の初期設定を行い、被測定者が使用する場合に即座に測定を開始できるタイプの生体測定装置（例えば、いわゆるステップオン体重計）では、初期設定の実行を開始する前に、本体の姿勢の適否を行う構成とすることも可能である。
【００５１】
また、上記第２実施形態では、複数の生体情報を取得する構成としたが、単一の生体情報として被測定者の体重のみを測定する体重計であっても、本発明を適用できることは言うまでない。
【００５２】
第２実施形態のようにソフト的に誤動作を防止する構成の場合には、スイッチが入っているかどうか、傾きセンサが所定以上の傾きを示す信号を発しているか、ということをマイコンもしくは制御部で監視するため、定常的に電流を流しておく必要があり、電池消耗に繋がってしまうが、この点、第１実施形態のように機械的に電源供給をオフにして誤動作を防止する構成とすれば、その監視のための余計な電力消費を回避できる。
【００５３】
さらに、第１実施形態と第２実施形態とを組み合わせた体重計としてもよい。この場合には、ソフト的に体重計を作動させない状態とするのみでなく、機械的にも体重計を作動させない状態とできることから、体重計を使用していない状態をより確実に検知し、体重計の誤作動を防止できる。
【００５４】
この発明は、その本質的特性から逸脱することなく数多くの形式のものとして具体化することができる。よって、上述した実施形態は専ら説明上のものであり、本発明を制限するものではないことは言うまでもない。
【図面の簡単な説明】
【００５５】
【図１】本発明の第１実施形態に係る体脂肪計付き体重計の斜視図ある。
【図２】体脂肪計付き体重計がスタンドに保持された状態を示す図であり、（ａ）は側面図、（ｂ）は、図１のＩＩ−ＩＩ線に対応した位置で、図２（ａ）のＩＩｂ部を紙面に平行な面で切断した拡大断面図である。
【図３】図１の体脂肪計付き体重計のブロック図である。
【図４】本発明の第２実施形態による体脂肪計付き体重計の斜視図である。
【図５】本発明の第２実施形態による姿勢検知部１４１の構成例を示す一部断面図である。
【図６】図４の体脂肪計付き体重計のブロック図である。
【図７】図４の体脂肪計付き体重計の制御系のフローチャートである。
【符号の説明】
【００５６】
１、１０１      体脂肪計付き体重計
３、１０３      本体
３ａ、１０３ａ  載置部
２１、１２１    表示部
２２、１２２    操作部
２３、１２３    フットスイッチ
２５、１２５    記憶部
２９、１２９    制御部
３９            押しボタン（誤作動防止手段）
４１            凹部（誤作動防止手段）
４７、１４７    測定部
６１            スタンド
１３９          誤作動防止手段
１４１          姿勢検知部
【図１】
2008295497.tif 000003
【図２】
2008295497.tif 000004
【図３】
2008295497.tif 000005
【図４】
2008295497.tif 000006
【図５】
2008295497.tif 000007
【図６】
2008295497.tif 000008
【図７】
2008295497.tif 000009